(57)【要約】      （修正有）【課題】ウインチのワイヤロープをロープ引掛部に簡単に引っ掛けられるとともに、その逆掛け、逆巻きを確実に防止し、上述のような問題や事故の発生を防ぐことができ、専門技術者でなくても安心かつ安全で効率的な防風・防雪柵の維持管理作業を行うことができるウインチを提供する。【解決手段】円筒状の巻胴３を回転し、この巻胴３に巻いたロープＲまたは鎖の一端に重量物を掛けて上げ下ろし、あるいは牽引するウインチ１ａであって、前記巻胴３の外周面１０上に凸状のロープ引掛部１１ａを設け、このロープ引掛部１１ａの上端部から巻胴外周面１０にかけて傾斜された傾斜面１２ａを備えたロープ掛留防止部１２を前記ロープ引掛部１１ａにおけるロープ巻取方向Ｘと反対側に備えた。【選択図】図２
0003108497.tif 000002
【実用新案登録請求の範囲】
【請求項１】
円筒状の巻胴を回転し、この巻胴に巻いたロープまたは鎖の一端に重量物を掛けて上げ下ろし、あるいは牽引するウインチであって、前記巻胴の外周面上に凸状のロープ引掛部を設け、このロープ引掛部の上端部から巻胴の外周面にかけて傾斜された傾斜面を備えたロープ掛留防止部を前記ロープ引掛部におけるロープ巻取方向と反対側に設けたことを特徴とするウインチ。
【請求項２】
請求項１において、前記ロープ引掛部は、高さ方向に中空な略中空円筒状に形成されており、この中空部にボルトを挿入して巻胴の外周面に固定されることを特徴とするウインチ。  
【考案の詳細な説明】
【技術分野】
【０００１】
本考案は、ウインチに関し、特に、多数の防風・防雪柵の板を上げ下げする際にワイヤの逆掛け・逆巻きを防止するのに好適なウインチに関するものである。
【背景技術】
【０００２】
東北や北海道の暴風雪の多い地域では、強風や吹雪による道路障害を防ぐために、道路脇に防風・防雪柵が連続的に設置されているが、景観の重視、交通の視認性確保のため、使用しないときには防風・防雪板を折り畳んで収納するようになっている。このように防風・防雪柵を使用する場合およびこれを収納する場合、ウインチを使って防風・防雪板を上げ下げし、所定の位置に配置するようになっている。
【０００３】
一般にウインチは、水平に設けた円筒状の巻胴を回転し、この巻胴に巻いたロープまたは鎖の一端に防風・防雪板を掛けて上げ下ろしするようになっている。この場合、従来における巻胴にロープ等を取り付ける方法は、巻胴の端部近傍に設けられたロープ取付穴にロープの端部を入れて固定したり、あるいはロープ留め具にロープを狭持させてネジ止めするものであった。例えば、特許文献１には、ワイヤロープの劣化部分での切断事故の発生を抑える目的でワイヤ係止部をテーパ筒部に形成するとともに、その内周面に当接する分割式の楔体を内装しているウインチが開示されている。また、特許文献２には、巻胴のフランジの外側面にワイヤロープの一端をワイヤロープ留め具に固定する小型巻上機ドラムの構造が開示されている。
【特許文献１】実開平６−３９８８６号公報
【特許文献２】実開平４−１３５５８７号公報
【０００４】
ところで、防風・防雪柵の維持管理作業においては、道路脇に沿って多数の防風・防雪柵が配置されているおり、一台ずつ防風・防雪板を上げ下げしなければならないため、相当な手間と時間がかかる。さらに、特許文献１や特許文献２に記載された従来のウインチを使用する場合、ワイヤロープの止め作業と取り外し作業だけでも相当な手間と時間がかかる上、冬季の作業であるということも重なり、あまりに多くの時間を費やすことになっていた。
【０００５】
そこで、発明者は、ワイヤロープの掛け止め、および取り外しを簡単かつ迅速に行えるようにする目的で、図１３に示すような巻胴３に膨頭部を有する凸状のロープ引掛部１１を設けることを提案し、これにワイヤロープＲの端部をループ状に形成して、引っ掛ける仕組みのウインチ１を考案した。このウインチ１によれば、ワイヤロープＲの端部をねじなどで固定する必要はなく、ロープ引掛部１１にワイヤロープＲを掛けるだけでよいため、ワイヤロープＲの掛け止めおよび取り外し作業の手間や時間が大幅に省力化でき、防風・防雪板の上げ下げ作業が簡単かつ短時間で行うことができるようになった。
【考案の開示】
【考案が解決しようとする課題】
【０００６】
しかしながら、前述の膨頭部を有するロープ引掛部１１を設けたウインチ１を使用する場合、巻取方向がわかりにくく、図１４および図１５に示すように、いずれの向きであってもワイヤロープＲのループ状端部を引っ掛けることができるため、誤って正常な巻取方向とは反対側にワイヤロープＲを掛けてしまい、逆巻きしてしまうおそれがあった。
【０００７】
もしワイヤロープＲの逆掛け、逆巻きが行われてしまうと、防風・防雪板を上げる作業のときには、巻き上げ加重の増加に伴ってウインチ本体に内蔵されているブレーキ装置が正常に作動せず、巻き上げ途中にハンドルを保持出来なくなり、作業者が手を離したときに、巻き上げられた防風・防雪板が落下してしまうという問題がある。また、ブレーキ装置が破損に至った場合は巻胴が空転可能となり吊り荷が一気に落下するおそれがある。落下によって手巻きハンドルが急激に逆回転し、作業者に接触して怪我を負わせてしまうおそれがある。
【０００８】
一方、ワイヤロープＲの逆掛け、逆巻きをしながら防風・防雪板を下げる作業を行った場合、防風・防雪板の全重量が最初からウインチ１に掛かるため、ブレーキ装置が一瞬にして破損し、防風・防雪板が落下することがある。この場合には、防風・防雪柵の破損のみならず、人命に関わる問題となってしまう。
【０００９】
また、防風・防雪柵の維持管理作業の現状に鑑みると、その維持管理作業の費用が設置場所の近隣住民の副収入源となっており、必ずしもウインチ１の使用に慣れた専門技術者が作業に当たるとは限らない。しかも吹雪の前やその最中に急いで作業を進めなければならない状況が多いため、図１６や図１８に示すように、ロープ引掛部１１を鉤状に形成して引っ掛けやすい工夫を施したとしても、図１６乃至図１９に示すように逆掛けが可能であることから、慌てて逆巻きしてしまう場合がある。
【００１０】
本考案は、このような問題点を解決するためになされたものであって、ウインチのワイヤロープをロープ引掛部に簡単に引っ掛けられるとともに、その逆掛け、逆巻きを確実に防止し、上述のような問題や事故の発生を防ぐことができ、専門技術者でなくても安心かつ安全で効率的な防風・防雪柵の維持管理作業を行うことができるウインチを提供することを目的としている。
【課題を解決するための手段】
【００１１】
本考案に係るウインチの特徴は、円筒状の巻胴を回転し、この巻胴に巻いたロープまたは鎖の一端に重量物を掛けて上げ下ろし、あるいは牽引するウインチであって、前記巻胴の外周面上に凸状のロープ引掛部を設け、このロープ引掛部の上端部から巻胴外周面にかけて傾斜された傾斜面を備えたロープ掛留防止部を前記ロープ引掛部におけるロープ巻取方向と反対側に備える点にある。
【００１２】
そして、このような構成を採用したことにより、ロープの逆掛けをしようとしても、ロープがロープ掛留防止部の傾斜面をつたって滑り上がり、ロープがロープ引掛部から外れてしまうため、その逆掛け、逆巻きを確実に防止することができる。
なお、本考案に係るウインチの構成は、手動ウインチだけでなく、電動ウインチの場合にも有効である。
【００１３】
また、本考案において、前記ロープ引掛部は、高さ方向に中空な略中空円筒状に形成されており、この中空部にボルトを挿入して巻胴の外周面に固定されることが望ましい。これにより、巻胴の端部近傍に設けられたロープ取付穴にロープの端部を入れて固定したり、あるいはロープ留め具にロープを狭持させてネジ止めするタイプのウインチであっても、容易に入手可能なボルトを使って、ワイヤロープをロープ引掛部に簡単に引っ掛けられるとともに、その逆掛け、逆巻きを確実に防止ロープ引掛部にロープを掛けるタイプのウインチを得ることができる。
【考案の効果】
【００１４】
本考案によれば、ウインチのワイヤロープをロープ引掛部に簡単に引っ掛けられるとともに、その逆掛け、逆巻きを確実に防止し、上述のような問題や事故の発生を防ぐことができ、専門技術者でなくても安心かつ安全で効率的な防風・防雪柵の維持管理作業を行うことができる。
【考案を実施するための最良の形態】
【００１５】
以下、本考案に係るウインチの実施形態について図面を参照しつつ説明する。
【００１６】
図１乃至図８は、本考案に係るウインチの第１の実施形態を示す図であり、図１は正面図、図２はその左側面図である。図３は図１におけるドラムの正面図、図４はその右側面図である。
【００１７】
これらの図に示すように、本第１実施形態のウインチ１ａは、略凹状に形成されたフレーム２内に円筒状の巻胴３を回転自在に巻胴軸４に軸支している。巻胴３の両端部には円盤状のフランジ部５が形成されており、これらフランジ部５の間にワイヤロープＲが巻回される。また、一方のフランジ部５の外側には、巻胴歯車６が設けられている。フレーム２における巻胴軸４の下方には、原動軸７が回動自在に軸支されており、この原動軸７にはハンドル棒８が連結されており、ハンドル棒８の先端にはハンドル９が取り付けられている。また、原動軸７には図示しない中間歯車が取り付けられているとともに、この中間歯車と前記巻胴歯車６とが歯合されており、ハンドル９の動力を巻胴３に伝達するようになっている。なお、前記巻胴３には図示しないブレーキ装置が取り付けられている。さらに、巻胴３の外周面１０上にはワイヤロープＲを引っ掛けるためのロープ引掛部１１ａが設けられている。このロープ引掛部１１ａはロープ巻取方向Ｘと反対側に所定の傾斜面１２ａを備えたロープ掛留防止部１２が設けられている。
【００１８】
ロープ引掛部１１ａは、図１〜図８に示すように、巻胴３の外周面１０上に前記巻胴３の巻胴軸４に対してほぼ垂直に突出形成されている。ロープ引掛部１１ａから巻胴３までの高さは引っ掛けるワイヤロープＲのループ端部が掛け止められる高さを備えていればよい。また、本第１実施形態では、ロープ引掛部１１ａとして頭部を半球形状に形成したリベットを使用しているが、前述したような頭部を鉤状あるいは略Ｌ字状に折り曲げた屈曲部を有する形状に構成してもよい。
【００１９】
ロープ掛留防止部１２は、図１〜図８に示すように、ロープ引掛部１１ａの上端部からロープ巻取方向Ｘの逆側の外周面１０にかけて傾斜する傾斜面１２ａが形成されている。この傾斜面１２ａの傾斜度はワイヤロープＲや鎖が引っ掛けられずに外れてしまう程度であればよい。また、本第１実施形態では、ロープ掛留防止部１２の傾斜面１２ａを直線状に傾斜させているが、ロープ巻取方向Ｘと逆側に膨らむように湾曲された略扇形状にしてもよい。また、ロープ掛留防止部１２はロープ引掛部１１ａおよび巻胴３の外周面１０に溶接されている。
【００２０】
つぎに、このような構成を備えた本第１実施形態におけるウインチ１ａの作用について説明する。
【００２１】
防風・防雪柵を使用するために本第１実施形態のウインチ１ａを使って防風・防雪板を上げる場合、まず、ワイヤロープＲのループ状に形成された一端部をロープ引掛部１１ａに引っ掛ける。この際、ワイヤロープＲはロープ巻取方向Ｘに引っ掛けられて反対方向に垂らされるのが正しい。そして、仮に作業者がロープ巻取方向Ｘと反対方向に引っ掛けようとしても、図７および図８に示すように、ロープ引掛部１１ａに設けたロープ掛留防止部１２の傾斜面１２ａによって滑ってしまい引っ掛けることができないため、間違いようがない。
【００２２】
そして、正しい方向にワイヤロープＲを引っかけた後、ハンドル９を回転させることによってその動力がハンドル棒８から原動軸７に伝達され、中間歯車および巻胴歯車６を介して巻胴３に伝わり、この巻胴３を回転させることによりワイヤロープＲを巻き取って防風・防雪板を所定位置まで巻き上げる。
【００２３】
以上のような本第１実施形態によれば、ロープ掛留防止部１２の傾斜面１２ａによってワイヤロープＲを誤った方向に引っ掛けるのを防止し、正しい向きに掛けざるを得ないため、ワイヤロープＲの逆掛け、逆巻きを確実に防止することができる。また、ワイヤロープＲを誤って逆方向に掛けようとしてもワイヤロープＲが滑って外れることで逆方向に引っ掛けることができないため、特に注意書を読む必要がなく、ウインチ１ａの動作に関する専門的な知識や技術を持たない者でも安全かつ安心して操作を任せることができるという実用性に優れている。
【００２４】
つぎに、本考案に係るウインチの第２の実施形態について図９乃至図１２を参照しつつ説明する。
【００２５】
図９は、本考案に係るウインチの第２実施形態における巻胴の正面図であり、図１０はその右側面図、図１１はその１１Ａ−１１Ａ線断面図、図１２はその上面図である。なお、本第２実施形態のうち、前述した第１実施形態の構成と同一若しくは相当する構成については同一の符号を付して再度の説明を省略する。
【００２６】
図９〜図１２に示すように、本第２実施形態のウインチ１ｂの特徴は、ワイヤ引掛部１１ｂの高さ方向に中空部１３を有する略中空円筒状に形成し、その中空部１３内にボルト１４を挿入して巻胴３の外周面１０にネジ止めしている点にある。
【００２７】
このような本第２実施形態によれば、第１実施形態の効果に加え、ロープ掛留防止部１２を備えたロープ引掛部１１ｂを簡単かつ十分な強度をもって巻胴３に固定することができるし、ボルト１４を締結・解除することにより交換も簡単にできる。
【００２８】
なお、本考案に係るウインチは、前述した各実施形態に限定されるものではなく、適宜変更することができる。例えば、各実施形態では手巻ウインチを例示したが、電動ウインチであっても同様の効果を発揮することができる。
【図面の簡単な説明】
【００２９】
【図１】本発明に係るウインチの第１実施形態を示す正面図である。
【図２】図２の左側面図である。
【図３】第１実施形態における巻胴の正面図である。
【図４】図３の右側面図である。
【図５】第１実施形態においてワイヤロープを正しい向きに掛けた状態を示す図である。
【図６】第１実施形態においてワイヤロープを逆向きに掛けた状態を示す図である。
【図７】第１実施形態においてワイヤロープを逆向きに掛けた場合にワイヤロープが外れる過程を示す図である。
【図８】第１実施形態においてワイヤロープを逆向きに掛けた場合にワイヤロープが外れる過程を示す図である。
【図９】本発明に係るウインチの第２実施形態における巻胴を示す正面図である。
【図１０】図９の右側面図である。
【図１１】図９における１１Ａ−１１Ａ線断面図である。
【図１２】図１１の上面図である。
【図１３】巻胴に膨頭部を有する凸状のワイヤ引掛部を設けたウインチを示す図である。
【図１４】図１３のウインチにおいて、ワイヤロープを正しい向きに掛けた例を示す図である。
【図１５】図１３のウインチにおいて、ワイヤロープを逆向きに掛けた例を示す図である。
【図１６】巻胴に鉤状のワイヤ引掛部を設けたウインチにおいて、ワイヤロープを正しい向きに掛けた例を示す図である。
【図１７】図１６のウインチにおいて、ワイヤロープを逆向きに掛けた例を示す図である。
【図１８】巻胴に略Ｌ字状のワイヤ引掛部を設けたウインチにおいて、ワイヤロープを正しい向きに掛けた例を示す図である。
【図１９】図１８のウインチにおいて、ワイヤロープを逆向きに掛けた例を示す図である。
【符号の説明】
【００３０】
１ａ、１ｂ  ウインチ
２  フレーム
３  巻胴
４  巻胴軸
５  フランジ部
６  巻胴歯車
７  原動軸
８  ハンドル棒
９  ハンドル
１０  外周面
１１ａ，１１ｂ  ロープ引掛部
１２  ロープ掛留防止部
１２ａ  傾斜面
１３  中空部
１４  ボルト
Ｒ  ワイヤロープ
Ｘ  ロープ巻取方向
【図１】
0003108497.tif 000003
【図２】
0003108497.tif 000004
【図３】
0003108497.tif 000005
【図４】
0003108497.tif 000006
【図５】
0003108497.tif 000007
【図６】
0003108497.tif 000008
【図７】
0003108497.tif 000009
【図８】
0003108497.tif 000010
【図９】
0003108497.tif 000011
【図１０】
0003108497.tif 000012
【図１１】
0003108497.tif 000013
【図１２】
0003108497.tif 000014
【図１３】
0003108497.tif 000015
【図１４】
0003108497.tif 000016
【図１５】
0003108497.tif 000017
【図１６】
0003108497.tif 000018
【図１７】
0003108497.tif 000019
【図１８】
0003108497.tif 000020
【図１９】
0003108497.tif 000021